(57)【要約】【課題】左右のスピーカを有するＣＤプレーヤなどの音響再生装置を、聴取者の後ろ側に設置して、音響を再生する場合にも、正常かつ適切な音響再生が実現されるようにする。【解決手段】音響再生装置１０は、ＣＤプレーヤであり、左スピーカ１１Ｌおよび右スピーカ１１Ｒを有する。音響再生装置１０を聴取者１の正面に設置して音楽を聴く場合には、左チャンネルの音声信号が左スピーカ１１Ｌに供給され、右チャンネルの音声信号が右スピーカ１１Ｒに供給されるようにし、音響再生装置１０を聴取者１の真後ろに設置して音楽を聴く場合には、左チャンネルの音声信号が右スピーカ１１Ｒに供給され、右チャンネルの音声信号が左スピーカ１１Ｌに供給されるようにする。左スピーカ１１Ｌおよび右スピーカ１１Ｒへの音声信号の供給を切り替える代わりに、左チャンネルおよび右チャンネルの音声信号に対する音像定位処理を切り替えるようにしてもよい。【選択図】図１
2008193393.tif 000002
【特許請求の範囲】
【請求項１】
左スピーカおよび右スピーカを有する音響再生装置によって左チャンネルおよび右チャンネルの音声を再生する音響再生システムであって、
上記音響再生装置が聴取者の正面側に設置される場合の第１の音響再生モードと、上記音響再生装置が聴取者の後ろ側に設置される場合の第２の音響再生モードとでは、上記左スピーカおよび上記右スピーカへの音声信号の供給、または左チャンネルおよび右チャンネルの音声信号に対する音像定位処理が、切り替えられることを特徴とする音響再生システム。
【請求項２】
請求項１の音響再生システムにおいて、
上記第１の音響再生モードでの左チャンネルおよび右チャンネルの音声信号は、ステレオ音声信号であり、上記第２の音響再生モードでの左チャンネルおよび右チャンネルの音声信号は、マルチチャンネルサラウンド音声信号中のリアチャンネルの音声信号であることを特徴とする音響再生システム。
【請求項３】
請求項１の音響再生システムにおいて、
上記左スピーカおよび上記右スピーカは、エンクロージャを持たないことを特徴とする音響再生システム。
【請求項４】
請求項１の音響再生システムにおいて、
上記音響再生装置に、当該システムが上記第１の音響再生モードで音響を再生しているか、上記第２の音響再生モードで音響を再生しているかを示す表示手段が設けられていることを特徴とする音響再生システム。
【請求項５】
左スピーカおよび右スピーカを有する音響再生装置を備える音響再生システムによってマルチチャンネルサラウンド音声を再生する音響再生方法であって、
後方左チャンネルの音声信号を、上記右スピーカに供給し、または聴取者の後方左の位置に音像が定位されるように処理して上記左スピーカに供給し、後方右チャンネルの音声信号を、上記左スピーカに供給し、または聴取者の後方右の位置に音像が定位されるように処理して上記右スピーカに供給して、上記左スピーカおよび上記右スピーカによってリアチャンネルの音声を再生することを特徴とする音響再生方法。
【請求項６】
請求項５の音響再生方法において、
上記左スピーカおよび上記右スピーカは、エンクロージャを持たないことを特徴とする音響再生方法。
【請求項７】
映像再生装置と、左スピーカおよび右スピーカを有する音響再生装置とを備える映像音響再生システムにおける映像音響再生方法であって、
上記音響再生装置が聴取者の正面側の、上記映像再生装置と聴取者との間に設置された状態で、上記左スピーカおよび上記右スピーカによって音声を再生することを特徴とする映像音響再生方法。
【請求項８】
請求項７の映像音響再生方法において、
上記左スピーカおよび上記右スピーカは、エンクロージャを持たないことを特徴とする映像音響再生方法。
【発明の詳細な説明】
【技術分野】
【０００１】
この発明は、音響再生システム、音響再生方法および映像音響再生方法に関する。
【背景技術】
【０００２】
左右のスピーカを備えるＣＤ（Ｃｏｍｐａｃｔ  Ｄｉｓｃ）プレーヤ、ＦＭラジオ受信機、カセットプレーヤなどでは、２チャンネルステレオの左チャンネルの音声が左スピーカから出力され、右チャンネルの音声が右スピーカから出力される。
【０００３】
液晶ディスプレイなどのディスプレイの左右にスピーカが設けられた薄型テレビ受信機などでも、同じである。
【０００４】
一方、スピーカによって音声を再生する場合に、音声信号を実際にスピーカが設置される位置とは異なる位置に音像を定位させるように処理して、音声を再生することが考えられている。
【０００５】
例えば、特許文献１（特開平１０−２２４９００号公報）には、聴取者の真後ろ方向に近い位置に設置される左右のリアスピーカに供給される音声信号を、聴取者の真横より若干後ろ側の位置に音像を定位させるように処理して、左右のリアスピーカに供給することが示されている。
【０００６】
上に挙げた先行技術文献は、以下の通りである。
【特許文献１】特開平１０−２２４９００号公報
【発明の開示】
【発明が解決しようとする課題】
【０００７】
上述したように、左右のスピーカを備えるＣＤプレーヤなどは、聴取者の正面側に設置されることを前提に、左チャンネルの音声が左スピーカ、すなわち聴取者から見て前方左のスピーカによって再生され、右チャンネルの音声が右スピーカ、すなわち聴取者から見て前方右のスピーカによって再生される。
【０００８】
しかし、このような左右のスピーカを備える音響再生装置を、聴取者の後ろ側に設置して、音響を再生したい場合がある。
【０００９】
例えば、左右のスピーカを備える音響再生装置を聴取者の真後ろに設置して、５．１チャンネルサラウンド音声中のリアチャンネルの音声を再生する場合である。
【００１０】
この場合、音響再生装置の左スピーカは、聴取者の後方右に位置して前方に向き、音響再生装置の右スピーカは、聴取者の後方左に位置して前方に向く。
【００１１】
そのため、左チャンネルの音声信号は左スピーカに、右チャンネルの音声信号は右スピーカに、というように、後方左チャンネルの音声信号が左スピーカに供給され、後方右チャンネルの音声信号が右スピーカに供給されると、聴取者の後方右から後方左チャンネルの音声が出力され、聴取者の後方左から後方右チャンネルの音声が出力されてしまう結果となる。
【００１２】
設置場所の都合などから、上記のＣＤプレーヤを聴取者の後ろ側に設置して、ＣＤの音楽を聴くような場合も、同じである。
【００１３】
そこで、この発明は、左右のスピーカを有する音響再生装置を、聴取者の後ろ側などに設置して、音響を再生する場合にも、正常かつ適切な音響再生が実現されるようにしたものである。
【課題を解決するための手段】
【００１４】
この発明の音響再生システムは、
左スピーカおよび右スピーカを有する音響再生装置によって左チャンネルおよび右チャンネルの音声を再生する音響再生システムであって、
上記音響再生装置が聴取者の正面側に設置される場合の第１の音響再生モードと、上記音響再生装置が聴取者の後ろ側に設置される場合の第２の音響再生モードとでは、上記左スピーカおよび上記右スピーカへの音声信号の供給、または左チャンネルおよび右チャンネルの音声信号に対する音像定位処理が、切り替えられることを特徴とする。
【００１５】
上記の音響再生システムでは、音響再生装置が聴取者の正面側に設置されて、第１の音響再生モードで音響が再生される場合は勿論のこと、音響再生装置が聴取者の後ろ側に設置されて、第２の音響再生モードで音響が再生される場合にも、正常かつ適切な音響再生が実現される。
【発明の効果】
【００１６】
以上のように、この発明によれば、左右のスピーカを有する音響再生装置を、聴取者の後ろ側などに設置して、音響を再生する場合にも、正常かつ適切な音響再生が実現される。
【発明を実施するための最良の形態】
【００１７】
［１．第１の実施形態：図１および図２］
図１（Ａ）（Ｂ）に、この発明の音響再生システムおよびそれによる音響再生方法の一例を示す。
【００１８】
この例の音響再生システムは、音響再生装置１０によって構成される。音響再生装置１０は、左スピーカ１１Ｌおよび右スピーカ１１Ｒを有するものであり、かつ、後述するＣＤプレーヤなどである。
【００１９】
ただし、左スピーカ１１Ｌおよび右スピーカ１１Ｒは、図１（Ａ）に示すように、音響再生装置１０を聴取者１の正面側に設置して音声を聴取する場合に、聴取者１の前方左に位置する方が左スピーカ１１Ｌであり、聴取者１の前方右に位置する方が右スピーカ１１Ｒである。
【００２０】
左スピーカ１１Ｌおよび右スピーカ１１Ｒは、独立したものとし、かつ、エンクロージャ（スピーカボックス）を持たないものとする。
【００２１】
音響再生装置１０の前面には、例えば、右スピーカ１１Ｒの近傍に、後述のように音響再生モードを示すためのＬＥＤ（発光ダイオード）１２を設ける。
【００２２】
図２に、音響再生装置１０の一例の構成を示す。この例は、音響再生装置１０がＣＤプレーヤである場合である。
【００２３】
具体的に、音響再生装置１０では、光ピックアップ１４によって、ＣＤ１３からデータが読み取られ、再生復調回路１５で、データが再生復調され、ステレオ復調回路１６で、データがステレオ復調されて、ステレオ復調回路１６から、左チャンネルの音声信号ＳＬおよび右チャンネルの音声信号ＳＲが出力される。
【００２４】
さらに、その左チャンネルの音声信号ＳＬは、音声増幅回路１７Ｌで増幅されて、スイッチ回路１８Ｌおよび１８Ｒに供給され、右チャンネルの音声信号ＳＲも、音声増幅回路１７Ｒで増幅されて、スイッチ回路１８Ｌおよび１８Ｒに供給される。
【００２５】
そして、スイッチ回路１８Ｌの出力の音声信号が、左スピーカ１１Ｌに供給され、スイッチ回路１８Ｒの出力の音声信号が、右スピーカ１１Ｒに供給される。
【００２６】
操作部２１は、再生や再生停止などを指示するとともに、後述のように音響再生モードを切り替えるものである。
【００２７】
コントローラ２２は、再生復調回路１５、ステレオ復調回路１６およびＬＥＤ点灯回路１９などを制御し、スイッチ回路１８Ｌおよび１８Ｒを切り替えるものである。
【００２８】
聴取者１は、図１（Ａ）に示すように、音響再生装置１０を正面に設置した状態で、ＣＤ１３に記録されている音楽を聴く場合には、操作部２１での操作によって、以下のような音響再生モードを選択する。
【００２９】
すなわち、このとき、コントローラ２２は、スイッチ回路１８Ｌおよび１８Ｒを、図２に示す状態とは逆に、左チャンネルの音声信号ＳＬが左スピーカ１１Ｌに供給され、右チャンネルの音声信号ＳＲが右スピーカ１１Ｒに供給される状態に切り替えるとともに、ＬＥＤ点灯回路１９によってＬＥＤ１２を点灯させる。
【００３０】
したがって、このとき、左チャンネルの音声信号ＳＬが左スピーカ１１Ｌに供給され、右チャンネルの音声信号ＳＲが右スピーカ１１Ｒに供給されて、図１（Ａ）に示すように、聴取者１の前方左に位置する左スピーカ１１Ｌからは、左チャンネルの音声ＡＬが出力され、聴取者１の前方右に位置する右スピーカ１１Ｒからは、右チャンネルの音声ＡＲが出力される。また、このとき、ＬＥＤ１２が点灯する。
【００３１】
一方、図１（Ｂ）に示すように、音響再生装置１０を真後ろに設置した状態で、ＣＤ１３に記録されている音楽を聴く場合には、聴取者１は、操作部２１での操作によって、以下のような音響再生モードを選択する。
【００３２】
すなわち、このとき、コントローラ２２は、スイッチ回路１８Ｌおよび１８Ｒを、図２に示すように、左チャンネルの音声信号ＳＬが右スピーカ１１Ｒに供給され、右チャンネルの音声信号ＳＲが左スピーカ１１Ｌに供給される状態に切り替えるとともに、ＬＥＤ１２を消灯させる。
【００３３】
したがって、このとき、左チャンネルの音声信号ＳＬが右スピーカ１１Ｒに供給され、右チャンネルの音声信号ＳＲが左スピーカ１１Ｌに供給されて、図１（Ｂ）に示すように、聴取者１の後方左に位置する右スピーカ１１Ｒからは、左チャンネルの音声ＡＬが出力され、聴取者１の後方右に位置する左スピーカ１１Ｌからは、右チャンネルの音声ＡＲが出力される。
【００３４】
以上のように、この例では、音響再生装置１０が聴取者１の正面に設置される場合は勿論のこと、音響再生装置１０が聴取者１の真後ろに設置される場合にも、左チャンネルおよび右チャンネルの音声が正常に再生される。
【００３５】
さらに、図１（Ｂ）のように音響再生装置１０を聴取者１の真後ろの聴取者１に近い位置に設置して音響を再生する場合には、周囲への音の漏れを低減することができる。特に、左スピーカ１１Ｌおよび右スピーカ１１Ｒを、エンクロージャを持たないものとすることによって、中高音に比べて音が響き易い低音の漏れをより低減することができる。
【００３６】
図２の例は、スイッチ回路１８Ｌおよび１８Ｒによって、音声信号ＳＬおよびＳＲの左スピーカ１１Ｌおよび右スピーカ１１Ｒへの供給を切り替える場合であるが、音像定位処理の切り替えによって、等価的に同様のことを行うように構成することもできる。
【００３７】
具体的に、この場合、スイッチ回路１８Ｌおよび１８Ｒを設けることなく、ステレオ復調回路１６からの左チャンネルの音声信号ＳＬおよび右チャンネルの音声信号ＳＲが、それぞれ音像定位処理回路を通じて左スピーカ１１Ｌおよび右スピーカ１１Ｒに供給されるようにする。
【００３８】
そして、図１（Ａ）に示すような音響再生モードが選択されたときには、上記の音像定位処理回路において、例えば、左チャンネルの音声信号ＳＬおよび右チャンネルの音声信号ＳＲに対して、特に音像定位処理を施さず、一方、図１（Ｂ）に示すような音響再生モードが選択されたときには、上記の音像定位処理回路において、左チャンネルの音声信号ＳＬに対しては、聴取者１の左側の位置、例えば前方左の位置に音像を定位させる処理を施し、右チャンネルの音声信号ＳＲに対しては、聴取者１の右側の位置、例えば前方右の位置に音像を定位させる処理を施す。
【００３９】
なお、音響再生装置１０は、図２の例のようなＣＤプレーヤに限らず、ＦＭラジオ受信機やカセットプレーヤなどのステレオ再生装置でもよい。
【００４０】
また、音響再生システムとしては、ＣＤプレーヤなどのステレオ再生装置と、左スピーカおよび右スピーカを有する音響再生装置とを備え、ステレオ再生装置と音響再生装置との間の無線通信によって、ステレオ再生装置から音響再生装置に左チャンネルおよび右チャンネルの音声信号が送信されるシステムでもよい。
【００４１】
［２．第２の実施形態：図３〜図６］
図３に、この発明の映像音響再生方法を実行する映像音響再生システムの一例を示す。
【００４２】
この例の映像音響再生システムは、薄型テレビ受信機３０、音響再生装置１０、ＤＶＤプレーヤ４０、ＣＤプレーヤ５０、送信装置６０および受信装置７０によって構成される。
【００４３】
薄型テレビ受信機３０は、聴取者（視聴者）の正面に設置され、ＤＶＤプレーヤ４０、ＣＤプレーヤ５０および送信装置６０は、薄型テレビ受信機３０の近くに設置され、音響再生装置１０は、後述のように聴取者の真後ろ、または聴取者の正面の聴取者に近い位置に設置され、受信装置７０は、音響再生装置１０の近くに設置され、または音響再生装置１０と一体的に構成される。
【００４４】
薄型テレビ受信機３０は、液晶ディスプレイなどのパネル状のディスプレイ３３の左右に、またはディスプレイ３３の下側左右に、左スピーカ３１Ｌおよび右スピーカ３１Ｒが設けられたものである。
【００４５】
音響再生装置１０は、左スピーカ１１Ｌおよび右スピーカ１１Ｒを有するものである。この場合も、左スピーカ１１Ｌおよび右スピーカ１１Ｒは、独立したものとし、かつ、エンクロージャを持たないものとする。
【００４６】
音響再生装置１０は、後述のように、図２に示したＣＤプレーヤなどのような内部で音声信号が得られるものでもよいが、図３の例では、内部で音声信号が得られず、外部から音声信号が送信されるものである。
【００４７】
ＤＶＤプレーヤ４０では、ＤＶＤ（Ｄｉｇｉｔａｌ  Ｖｅｒｓａｔｉｌｅ  Ｄｉｓｃ）から、映像信号および５．１チャンネルサラウンド音声信号が再生される。
【００４８】
ＤＶＤプレーヤ４０の映像出力は、薄型テレビ受信機３０に送出され、薄型テレビ受信機３０のディスプレイ３３上に、ＤＶＤの映像が表示される。
【００４９】
ＤＶＤプレーヤ４０の音声出力は、例えば光信号として、全チャンネルの音声信号が送信装置６０に送出されるが、後述のように、映像音響再生方法によっては、一部チャンネルの音声信号が薄型テレビ受信機３０にも送出される。
【００５０】
ＣＤプレーヤ５０の出力のステレオ音声信号は、送信装置６０に送出される。テレビのステレオ音声信号またはモノラル音声信号も、薄型テレビ受信機３０から送信装置６０に送出される。
【００５１】
送信装置６０では、音声選択処理回路６１で、ＤＶＤプレーヤ４０の音声出力中の全チャンネルまたは一部チャンネルの音声信号が選択され、さらに、その選択された音声信号に対して音像定位処理などの処理が施される。
【００５２】
また、送信装置６０では、音声選択処理回路６２で、ＣＤプレーヤ５０の音声出力またはテレビの音声出力が選択され、さらに、その選択された音声信号に対して音像定位処理などの処理が施される。
【００５３】
さらに、送信装置６０では、切り替え回路６３で、音声選択処理回路６１の出力と音声選択処理回路６２の出力とが切り替えられて、その切り替え後の音声信号が、送受信回路６４によって、アンテナ６５から受信装置７０に送信される。
【００５４】
また、送信装置６０では、後述のように受信装置７０から送信されたコマンドが、アンテナ６５を通じて送受信回路６４で受信され、コントローラ６６に取り込まれるとともに、操作部６７での操作に基づいてコントローラ６６から得られるコマンドが、送受信回路６４によって、アンテナ６５から受信装置７０に送信される。
【００５５】
受信装置７０では、上記のように送信装置６０から送信された音声信号が、アンテナ７５を通じて送受信回路７４で受信され、音声処理回路７３で処理されて、後述のように音響再生装置１０の左スピーカ１１Ｌおよび右スピーカ１１Ｒに供給される。
【００５６】
また、受信装置７０では、操作部７７での操作に基づいてコントローラ７６から得られるコマンドが、送受信回路７４によって、アンテナ７５から送信装置６０に送信されるとともに、上記のように送信装置６０から送信されたコマンドが、アンテナ７５を通じて送受信回路７４で受信され、コントローラ７６に取り込まれる。
【００５７】
この例の映像音響再生システムでは、受信装置７０の操作部７７または送信装置６０の操作部６７で映像音響再生方法を選択することによって、以下の各例に示すように、映像および音響を再生することができる。
【００５８】
（２−１．映像音響再生方法の第１の例：図４）
第１の例では、図３の例の映像音響再生システムによってＤＶＤの映像および音声を鑑賞する場合、図４に示すように、音響再生装置１０を聴取者１の真後ろに設置して、リアチャンネルの音声を音響再生装置１０の右スピーカ１１Ｒおよび左スピーカ１１Ｌによって再生する。
【００５９】
具体的に、この場合、図３のＤＶＤプレーヤ４０からの５．１チャンネルサラウンド音声信号中の、前方左チャンネルの音声信号および前方右チャンネルの音声信号は、薄型テレビ受信機３０の左スピーカ３１Ｌおよび右スピーカ３１Ｒに供給されて、図４に示すように、左スピーカ３１Ｌからは、前方左チャンネルの音声ＦＬが出力され、右スピーカ３１Ｒからは、前方右チャンネルの音声ＦＲが出力される。
【００６０】
同時に、ＤＶＤプレーヤ４０からの５．１チャンネルサラウンド音声信号中の、後方左チャンネルの音声信号および後方右チャンネルの音声信号は、送信装置６０の音声選択処理回路６１で選択されて、切り替え回路６３を通じて送受信回路６４に供給され、送信装置６０から受信装置７０に送信されて、受信装置７０の送受信回路７４で受信される。
【００６１】
さらに、その後方左チャンネルの音声信号および後方右チャンネルの音声信号は、受信装置７０の音声処理回路７３によって、後方左チャンネルの音声信号が、音響再生装置１０の右スピーカ１１Ｒに供給され、後方右チャンネルの音声信号が、音響再生装置１０の左スピーカ１１Ｌに供給されて、図４に示すように、聴取者１の後方左に位置する右スピーカ１１Ｒからは、後方左チャンネルの音声ＲＬが出力され、聴取者１の後方右に位置する左スピーカ１１Ｌからは、後方右チャンネルの音声ＲＲが出力される。
【００６２】
また、ＤＶＤプレーヤ４０からの５．１チャンネルサラウンド音声信号中の、センターチャンネルの音声信号は、図３および図４では省略したセンタースピーカに供給され、ＬＦＥ（Ｌｏｗ  Ｆｒｅｑｕｅｎｃｙ  Ｅｆｆｅｃｔ）チャンネルの音声信号は、図３および図４では省略したサブウーハスピーカに供給されて、センタースピーカから、センターチャンネルの音声が出力され、サブウーハスピーカから、ＬＦＥチャンネルの音声が出力される。
【００６３】
したがって、この例では、音響再生装置１０によってリアチャンネルの音声を正常に再生することができる。
【００６４】
この例でも、後方左チャンネルの音声信号が、送信装置６０の音声選択処理回路６１で、聴取者１の後方左の位置に音像が定位されるように処理されて、音響再生装置１０の左スピーカ１１Ｌに供給され、後方右チャンネルの音声信号が、送信装置６０の音声選択処理回路６１で、聴取者１の後方右の位置に音像が定位されるように処理されて、音響再生装置１０の右スピーカ１１Ｒに供給されるようにしてもよい。
【００６５】
音響再生装置１０を、図２に示したＣＤプレーヤのようなステレオ音声信号の信号源を含むものとする場合には、図１（Ａ）に示したように、音響再生装置１０を聴取者１の正面に設置した状態で、ステレオの音声を再生する音響再生モードと、図４に示すように、音響再生装置１０を聴取者１の真後ろに設置した状態で、５．１チャンネルサラウンド音声中のリアチャンネルの音声を再生する音響再生モードとを切り替えて、音響を再生することができる。
【００６６】
また、図４のように音響再生装置１０を聴取者１の真後ろに設置する場合、上記の５．１チャンネルサラウンド音声信号中のＬＦＥチャンネルの音声信号を、上記のサブウーハスピーカではなく、音響再生装置１０の左スピーカ１１Ｌおよび右スピーカ１１Ｒによって再生するようにしてもよい。このようにＬＦＥチャンネルの音声信号のような低域音声信号を、音響再生装置１０の上記のようにエンクロージャを持たないスピーカにより再生することによって、音響再生装置１０の近傍に居る聴取者１は、低域の音声を十分な低音感をもって聴取することができるとともに、音響再生装置１０の近傍に居ない人に対しては、低音の漏れをあまり意識させないようにすることができる。
【００６７】
（２−２．映像音響再生方法の第２の例：図５）
第２の例では、図３の例の映像音響再生システムによってＤＶＤの映像および音声を鑑賞する場合、図５に示すように、音響再生装置１０を聴取者１の正面の聴取者１に近い位置に設置して、全チャンネルの音声を音響再生装置１０の左スピーカ１１Ｌおよび右スピーカ１１Ｒによって再生する。
【００６８】
すなわち、この場合、薄型テレビ受信機３０では、ディスプレイ３３上にＤＶＤの映像を表示するだけで、左スピーカ３１Ｌおよび右スピーカ３１Ｒからは音声を出力させない。
【００６９】
同時に、図３のＤＶＤプレーヤ４０からの５．１チャンネルサラウンド音声信号は、送信装置６０の音声選択処理回路６１で、全チャンネルの音声信号が選択されて、切り替え回路６３を通じて送受信回路６４に供給され、送信装置６０から受信装置７０に送信されて、受信装置７０の送受信回路７４で受信される。
【００７０】
さらに、その５．１チャンネルサラウンド音声信号は、受信装置７０の音声処理回路７３で、全チャンネルの音声信号が合成され、その合成後の音声信号が、音響再生装置１０の左スピーカ１１Ｌおよび右スピーカ１１Ｒに供給されて、図５に示すように、左スピーカ１１Ｌおよび右スピーカ１１Ｒから、合成後の音声ＭＡが出力される。
【００７１】
この例では、ＤＶＤの映像および音声を鑑賞する場合、映像は聴取者１から離れた薄型テレビ受信機３０の大画面で鑑賞し、音声は聴取者１の身近で音響再生装置１０によって聴取することができる。
【００７２】
したがって、聴取者１は耳が遠くても音声を聴き取ることができるとともに、周囲への音の漏れを低減することができる。特に、音響再生装置１０の左スピーカ１１Ｌおよび右スピーカ１１Ｒを、エンクロージャを持たないものとすることによって、中高音に比べて音が響き易い低音の漏れをより低減することができる。
【００７３】
また、音響再生装置１０は、聴取者１の近くで使用するため、左スピーカ１１Ｌおよび右スピーカ１１Ｒの出力パワーを減らすことができ、音響再生装置１０を電池で駆動することができるとともに、図３の例に示すように信号源側と音響再生装置１０側との間で音声信号およびコマンドを無線で送受することができる。
【００７４】
なお、図５のように音響再生装置１０を聴取者１の正面の聴取者１に近い位置に設置する場合にも、上記の５．１チャンネルサラウンド音声信号中のＬＦＥチャンネルの音声信号を、サブウーハスピーカではなく、音響再生装置１０の左スピーカ１１Ｌおよび右スピーカ１１Ｒによって再生するようにしてもよい。このようにＬＦＥチャンネルの音声信号のような低域音声信号を、音響再生装置１０の上記のようにエンクロージャを持たないスピーカにより再生することによって、音響再生装置１０の近傍に居る聴取者１は、低域の音声を十分な低音感をもって聴取することができるとともに、音響再生装置１０の近傍に居ない人に対しては、低音の漏れをあまり意識させないようにすることができる。
【００７５】
（２−３．映像音響再生方法の第３の例：図６）
第３の例では、図３の例の映像音響再生システムによってテレビの映像および音声を視聴する場合、図６に示すように、音響再生装置１０を聴取者１の正面の聴取者１に近い位置に設置して、テレビの音声を音響再生装置１０の左スピーカ１１Ｌおよび右スピーカ１１Ｒによって再生する。
【００７６】
すなわち、この場合、薄型テレビ受信機３０では、ディスプレイ３３上にテレビの映像を表示するだけで、左スピーカ３１Ｌおよび右スピーカ３１Ｒからは音声を出力させない。
【００７７】
同時に、図３の送信装置６０では、テレビの音声信号が、音声選択処理回路６２で選択されて、切り替え回路６３を通じて送受信回路６４に供給され、送信装置６０から受信装置７０に送信されて、受信装置７０の送受信回路７４で受信される。
【００７８】
さらに、テレビの音声信号がステレオ音声信号の場合には、受信装置７０の音声処理回路７３によって、左チャンネルの音声信号が、音響再生装置１０の左スピーカ１１Ｌに供給され、右チャンネルの音声信号が、音響再生装置１０の右スピーカ１１Ｒに供給されて、左スピーカ１１Ｌからは、左チャンネルの音声が出力され、右スピーカ１１Ｒからは、右チャンネルの音声が出力される。
【００７９】
また、テレビの音声信号がモノラル音声信号の場合には、受信装置７０の音声処理回路７３によって、そのモノラル音声信号が、音響再生装置１０の左スピーカ１１Ｌおよび右スピーカ１１Ｒに供給されて、左スピーカ１１Ｌおよび右スピーカ１１Ｒから、モノラルの音声が出力される。
【００８０】
この例では、テレビの映像および音声を視聴する場合、映像は聴取者１から離れた薄型テレビ受信機３０の大画面で鑑賞し、音声は聴取者１の身近で音響再生装置１０によって聴取することができる。
【００８１】
したがって、聴取者１は耳が遠くても音声を聴き取ることができるとともに、周囲への音の漏れを低減することができる。特に、音響再生装置１０の左スピーカ１１Ｌおよび右スピーカ１１Ｒを、エンクロージャを持たないものとすることによって、中高音に比べて音が響き易い低音の漏れをより低減することができる。
【００８２】
この第３の例のような映像音響再生方法は、例えば、テレビの映像を見ながら、音声としては、テレビの音声ではなく、ＣＤの音楽を聴く場合にも、行うことができる。
【００８３】
具体的に、この場合、上記のように、薄型テレビ受信機３０では、ディスプレイ３３上にテレビの映像を表示するだけで、左スピーカ３１Ｌおよび右スピーカ３１Ｒからは音声を出力させない。
【００８４】
同時に、図３の送信装置６０では、ＣＤプレーヤ５０の出力のステレオ音声信号が、音声選択処理回路６２で選択されて、切り替え回路６３を通じて送受信回路６４に供給され、送信装置６０から受信装置７０に送信されて、受信装置７０の送受信回路７４で受信される。
【００８５】
さらに、受信装置７０の音声処理回路７３によって、左チャンネルの音声信号が、音響再生装置１０の左スピーカ１１Ｌに供給され、右チャンネルの音声信号が、音響再生装置１０の右スピーカ１１Ｒに供給されて、左スピーカ１１Ｌからは、左チャンネルの音声が出力され、右スピーカ１１Ｒからは、右チャンネルの音声が出力される。
【００８６】
したがって、テレビの映像は聴取者１から離れた薄型テレビ受信機３０の大画面で鑑賞し、ＣＤの音楽は聴取者１の身近で音響再生装置１０によって聴取することができる。
【図面の簡単な説明】
【００８７】
【図１】この発明の音響再生システムの一例による音響再生方法を示す図である。
【図２】この発明の音響再生システムを構成する音響再生装置の一例を示す図である。
【図３】この発明の映像音響再生システムの一例を示す図である。
【図４】図３の例の映像音響再生システムによる映像音響再生方法の第１の例を示す図である。
【図５】図３の例の映像音響再生システムによる映像音響再生方法の第２の例を示す図である。
【図６】図３の例の映像音響再生システムによる映像音響再生方法の第３の例を示す図である。
【符号の説明】
【００８８】
主要部については図中に全て記述したので、ここでは省略する。
【図１】
2008193393.tif 000003
【図２】
2008193393.tif 000004
【図３】
2008193393.tif 000005
【図４】
2008193393.tif 000006
【図５】
2008193393.tif 000007
【図６】
2008193393.tif 000008